(57)【特許請求の範囲】
【請求項１】
蛍光ランプのランプピンと接続する接触片等を備え、前記ランプピンを挿入側から装着側方向に差し込んで回動し抜け止め係合させる蛍光灯ソケットであって、
上端部に前記ランプピンの側部を保持する接触部を有し、前記ランプピンの装着側にほぼ平行に立設された一対の立設部と、
前記立設部の間から前記ランプピンの挿入側に向かい斜め上方に傾斜して延設され前記ランプピンの先端部が当接する保持部を有し、前記ランプピンを前記保持部を介して上方向に付勢するランプピン押し上げバネとを、
有する接触片を備えたことを特徴とする蛍光灯ソケット。
【請求項２】
前記ランプピン押し上げバネを、
前記立設部の間から前記ランプピンの挿入側に向かい斜め上方に傾斜して延設され前記ランプピンの先端部が当接する保持部と、
該保持部の先端部から内側に向かって斜め下方に折り曲げられ先端部近傍に当接部が設けられたバネ部とにより、
ほぼつ字状に形成したことを特徴とする請求項１記載の蛍光灯ソケット。
【請求項３】
前記ランプピン押し上げバネを、
前記立設部の間から前記ランプピンの挿入側に向かい斜め上方に傾斜して延設され前記ランプピンの先端部が当接する保持部と、
該保持部の先端部から斜め下方に折り曲げられ先端部近傍に当接部が設けられたバネ部とにより、
ほぼへ字状に形成したことを特徴とする請求項１記載の蛍光灯ソケット。
【発明の詳細な説明】
【０００１】
【発明の属する技術分野】
本発明は、照明器具等に装備される蛍光灯ソケットに係り、より詳しくは、ランプ装着後の振動等によってもランプの保持と電気的接続の確実性が損なわれない蛍光灯ソケットに関するものである。
【０００２】
【従来の技術】
図７は、例えば特開平９ー１８５９７９号公報に開示された従来の蛍光灯ソケットの一例を示す分解斜視図である。蛍光灯ソケットは、本体１に接触片１２とランプ押上げバネ３０を装着し、裏蓋９によって蓋をして形成してある。
この蛍光灯ソケットにランプ３１を装着するには、本体１のランプピン挿入孔８にランプ３１のランプピン１３を挿入して押し込み、ランプ押上げバネ３０を下降させた状態にしてランプ３１を回動させる。ランプ３１を取り外すには、先と逆方向に回動すると、ランプ押上げバネ３０によってランプ３１が押し出される。
【０００３】
【発明が解決しようとする課題】
上記のように構成した蛍光灯ソケットによれば、ランプ３１を着脱するにあたり、ランプ３１の押し上げ部材であるランプ押上げバネ３０が別個に必要になると共に、ランプ装着状態で振動等が加わると接触片１２のへたりによりランプピン１３との間に接触不良が生じたり、ランプ３１が取り外す方向に回転するおそれがあった。
【０００４】
本発明は上記のような課題を解決するためになされたもので、別個にランプ押上げバネを必要とせずにランプを装着するときの操作性が向上し、かつ、ランプ装着後の振動等によってもランプの保持と電気的接続の確実性が損なわれない蛍光灯ソケットを得ることを目的とする。
【０００５】
【課題を解決するための手段】
本発明に係る蛍光灯ソケットは、蛍光ランプのランプピンと接続する接触片等を備え、ランプピンを挿入側から装着側方向に差し込んで回動し抜け止め係合させる蛍光灯ソケットであって、上端部に前記ランプピンの側部を保持する接触部を有し、前記ランプピンの装着側にほぼ平行に立設された一対の立設部と、前記立設部の間から前記ランプピンの挿入側に向かい斜め上方に傾斜して延設され前記ランプピンの先端部が当接する保持部を有し、前記ランプピンを前記保持部を介して上方向に付勢するランプピン押し上げバネとを有する接触片を備えたものである。
【０００６】
上記のランプピン押し上げバネを、立設部の間から前記ランプピンの挿入側に向かい斜め上方に傾斜して延設され前記ランプピンの先端部が当接する保持部と、該保持部の先端部から内側に向かって斜め下方に折り曲げられ先端部近傍に当接部が設けられたバネ部とによりほぼつ字状に形成した。
【０００７】
また、上記のランプピン押し上げバネを、前記立設部の間から前記ランプピンの挿入側に向かい斜め上方に傾斜して延設され前記ランプピンの先端部が当接する保持部と、該保持部の先端部から斜め下方に折り曲げられ先端部近傍に当接部が設けられたバネ部とによりほぼへ字状に形成した。
【０００８】
【発明の実施の形態】
［実施の形態１］
図１は本発明の実施の形態１の分解斜視図、図２（ａ），（ｂ），（ｃ）は図１の組み立て状態を示す平面図、正面図及び底面図、図３（ａ），（ｂ），（ｃ）は図１の要部の平面図、側面図及び正面図、図４は図３の展開図である。
【０００９】
図において、１は蛍光灯ソケットの絶縁性の本体で、一方の側に表蓋２を設け、他方の側を開放状態にした中空の円筒状をなし、側面３は表蓋２よりも軸方向に突出して周縁部４を形成すると共に、側面３の外周には雄ネジ５が設けてある。
表蓋２の中央にはランプの基部を挿入する開口穴６が設けられており、周縁部４の内側には対向して第１の器具取付穴７が設けてある。また、第１の器具取付穴７を結ぶ線とほぼ直角をなす側の周縁部４の内側には、対向して各一対の長円形状のランプピン挿入孔８が設けてある。
【００１０】
９は本体１の開口部側に取り付けた絶縁性の円形をなす裏蓋で、表蓋２の器具取付穴７の位置に合わせて第２の器具取付穴１０が設けてあり、また、表蓋２のランプピン挿入孔８の位置に合わせて電線挿入孔１１が設けてある。
１２は蛍光灯ソケットの本体１内に装着されたばね材からなる４個の接触片で、それぞれの接触片１２は本体１の表蓋２に設けたランプピン挿入孔８の下部（裏蓋９に設けた電線挿入孔１１の上部）に取り付けられ、ランプピン挿入孔８から挿入されたランプピンの接続を行うと共に、電線挿入孔１１から挿入された電線の接続を行う。
【００１１】
接触片１２の構成を図３、図４を用いて詳述する。１５は平行に対向配設した一対の立設部で、立設壁部１６の両側においてそれぞれほぼ直角をなすように同方向に折り曲げてコ字状に形成してある。１７は立設部１５の各先端部をほぼく字状に折り曲げてその折り曲げ部を近接して対向配設したランプピン接触部である。
【００１２】
１８は電線接続部であり、立設部１５のコ字状に開口した側の一方の面を外側方向に直角に折り曲げて立設面部１８ａを形成し、この立設面部１８ａの下端部をさらに立設壁部１６側に直角に折り曲げて底面部１８ｂを形成し、その折り曲げ方向と反対方向にさらに折り曲げて底面部１８ｂと鋭角をなす弾性斜面１８ｃを形成したものである。なお、弾性斜面１８ｃの立設面部１８ａ側の端部には電線係止部１９を設けると共に、立設面部１８ａと底面部１８ｂの折曲部の近傍には電線１４を挿通するための電線挿通穴２０を設けてある。
【００１３】
２１は立設壁部１６を延設して形成したランプピン押上げバネで、立設壁部１６の下端部を折曲げて立設部１５の開口部から斜め上方に延設したのち、ほぼ中央部を内側に向って斜め下方向に円弧状に折曲げてほぼつ字状に形成してランプピンを押圧するようにしたものである。このランプピン押上げバネ２１の構造をさらに詳述すると、立設壁部１６に連続する一方の腕部を保持部２２とし、これから内側に向って斜め下方に折曲げられた他方の腕部をバネ部２３とし、さらにバネ部２３の先端部近傍を背面部２２側に鈍角をなすように折曲げて当接部２４を形成したものである。
【００１４】
上記のように構成した接触片１２を、図５（ａ）に示すように、ランプピン挿入孔８の装着側（図５の左側）に位置させ、ランプピン接触部１７がランプピン挿入孔８側に向くようにして取り付ける。このとき、ランプピン押上げバネ２１の当接部２４を裏蓋９の上面に当接させて弾性を付与し、折曲部がランプピン１３の挿入側（図５の右側）に位置するようにして、保持部２２がランプピン１３の先端部と当接するようにしてある。そうして、ランプピン１３がランプピン挿入孔８の挿入側に挿入されると、ランプピン押上げバネ２１の保持部２２はランプピン１３の先端部によって押圧される。ついで、ランプピン１３がランプピン挿入孔８に沿って装着側に移動すると、図５（ｂ）に示すように、ランプピン押上げバネ２１が元の位置に復帰し、その弾性によりランプピン１３を保持する。なお、図５はこれらの動作原理を明確にするため本体１を変形させて表現してある。
【００１５】
また、図５に示すように、裏蓋９の電線挿入孔１１と接触片１２の電線挿通穴２０はその位置が一致するように配設してあり、電線１４を裏蓋９の電線挿入孔１１から接触片１２の電線挿通穴２０に通し、電線接続部１８の弾性斜面１８ａに当接させて取り付けるようにしてある。
【００１６】
上記のように構成した実施の形態１の作用を説明する。図５（ａ）に示すように、ランプピン１３を、蛍光灯ソケット本体１のランプピン挿入孔８の挿入側にイ方向から押し込み、これをランプピン挿入孔８に沿ってロ方向に回動させ、図５（ｂ）に示すように装着側に移動させて、抜け止め係合する。
すなわち、図５（ａ）に示すように、ランプピン１３をランプピン挿入孔８の挿入側からイ方向から押し込むと、ランプピン１３の先端部分がランプピン押上バネ２１の保持部２２に当接し、ランプピン押上げバネ２１はハ状態からニ状態に圧縮される。
【００１７】
次に、ランプピン１３を押し込んだニ状態でランプピン挿入孔８に沿ってロ方向に回動させると、ランプピン１３の先端部はランプピン押上げバネ２１の保持部２２に当接した状態のままで接触片１２の接触部１７に挟み込まれ、さらに回動すると図５（ｂ）に示すように装着側で停止する。この回動時に、圧縮状態ニにあるランプピン押上げバネ２１は、その保持部２２がランプピン１３の先端部に当接したままで復元しようとするので、ランプを回動させる力を補助する。また、ランプピン１３が装着側で停止したときにはホ状態に戻り、保持部２２はランプピン１３がロ方向と逆方向に移動するのを阻止する。なお、この装着状態では、ランプ基部は本体１の開口穴６に抜け止め状態で挿入されており、イ方向と逆方向への移動が阻止されているので、ランプピン１３が抜け出すことはない。
ランプを取り外すには、ランプを先と逆の方向に強く回動すると、ランプピン１３の先端部がランプピン押上げバネ２１の保持部２２を押し下げつつ挿入側に移動し、挿入側でランプピン押上げバネ２１によって押し上げられ、取り外ずされる。
【００１８】
実施の形態１によれば、従来の接続構造は維持した状態で、ランプを回動接続させるときの操作性を向上させ、ランプ装着後に振動等が生じても押上げバネ２１が常にランプピン１３を押圧しているので、接触不良を生じたりランプが取り外す方向に回転することはない。
【００１９】
［実施の形態２］
図６は本発明の実施の形態２の要部の側面図である。実施の形態１では、ランプピン１３を押圧するために、ほぼつ字状のランプピン押上げバネ２１を設けた場合を示したが、本実施の形態においては、このランプピン押上げバネ２１に代えて、ほぼへ字状のランプピン押上げバネを用いたものである。すなわち、図６に示すように、立設部１５の間から斜め上方に延出されたランプピン１３が当接する保持部２２と、この保持部２２の先端部から斜め下方に折曲げられて先端部近傍に当接部２４が設けられたバネ部２３とにより、ほぼへ字状のランプピン押上げバネ２１ａを形成したものである。
本実施の形態の作用効果は、実施の形態１の場合と実質的に同じなので、説明を省略する。
【００２０】
【発明の効果】
以上の説明から明らかなように、本発明は、蛍光ランプのランプピンと接続する接触片等を備え、ランプピンを挿入側から装着側方向に差し込んで回動し抜け止め係合させる蛍光灯ソケットであって、上端部に前記ランプピンの側部を保持する接触部を有し、前記ランプピンの装着側にほぼ平行に立設された一対の立設部と、前記立設部の間から前記ランプピンの挿入側に向かい斜め上方に傾斜して延設され前記ランプピンの先端部が当接する保持部を有し、前記ランプピンを前記保持部を介して上方向に付勢するランプピン押し上げバネとを有する接触片を備えたので、従来の接続構造を維持した状態で、ランプを装着するときの操作性が向上し、かつ、ランプ装着後の振動等によってもランプの保持と電気的接続の確実性が損なわれることがない。
【００２１】
また、上記のランプピン押し上げバネを、立設部の間から前記ランプピンの挿入側に向かい斜め上方に傾斜して延設され前記ランプピンの先端部が当接する保持部と、この保持部の先端部から内側に向かって斜め下方に折り曲げられ先端部近傍に当接部が設けられたバネ部とによりほぼつ字状に形成したので、蛍光灯を着脱するときの操作性が向上し、かつ、蛍光灯ソケットにランプを装着した後にランプが逆回転せず、ランプ装着後に起こりうる振動等からランプピンが接触不良になったり、ランプが落下するという最悪な事態が生じるのを回避することができる。
【００２２】
さらに、上記のランプピン押し上げバネを、前記立設部の間から前記ランプピンの挿入側に向かい斜め上方に傾斜して延設され前記ランプピンの先端部が当接する保持部と、この保持部の先端部から斜め下方に折り曲げられ先端部近傍に当接部が設けられたバネ部とによりほぼへ字状に形成したので、上記と同様の効果を得ることができる。
【図面の簡単な説明】
【図１】  本発明の実施の形態１の分解斜視図である。
【図２】  図１の組立て状態を示す平面図、正面図及び底面図である。
【図３】  図１の要部の平面図、側面図及び正面図である。
【図４】  図３の展開図である。
【図５】  図１の作用説明図である。
【図６】  本発明の実施の形態２の要部の平面図、側面図及び正面図である。
【図７】  従来の蛍光灯ソケットの一例を示す分解斜視図である。
【符号の説明】
１  本体、８  ランプピン挿入孔、９  裏蓋、１２  接触片、１３  ランプピン、１４  電線、１５  立設部、１７  ランプピンの接触部、１８  電線接続部、２１，２１ａ  ランプピン押上げバネ、２２  保持部、２３  バネ部、２４  当接部。
【図１】
0004051595.tif 000002
【図２】
0004051595.tif 000003
【図３】
0004051595.tif 000004
【図４】
0004051595.tif 000005
【図５】
0004051595.tif 000006
【図６】
0004051595.tif 000007
【図７】
0004051595.tif 000008